(57)【要約】【課題】上下開閉運動、左右偏心運動、回転滑走運動、および後方運動などのあごの咬合動作をより正確に再現できるうえ、咬合器の全体構造を著しく簡素化して、低コストで製造できる歯科用咬合器を提供する。【解決手段】上フレーム１と下フレーム２とを有する。上下の両フレーム１・２の後端どうしは、板ばねからなる左右一対の弾性アーム３・３で連結する。弾性アーム３と上下のフレーム１・２とは、それぞれ上ヒンジ４および下ヒンジ５を介して相対揺動可能に連結する。下ヒンジ５は、所定の外力が作用する状態でのみ相対揺動できる。弾性アーム３と下フレーム２との間には、両者２・３の接近限界を規定するストッパー２０を設ける。弾性アーム３と下フレーム２とが接近限界姿勢に屈折した状態において、下ヒンジ５のヒンジ中心が上ヒンジ４のヒンジ中心より後方に位置するようにしてある。【選択図】　　　　図１
2004000423.tif 000002
【特許請求の範囲】
【請求項１】
上下に対向配置される上フレーム１および下フレーム２と、両フレーム１・２の後端どうしを連結する弾性アーム３とを備えており、
上フレーム１と弾性アーム３とは、上ヒンジ４を介して相対揺動可能に連結されており、
下フレーム２と弾性アーム３とは、設定値を越える外力が作用する状態でのみ相対揺動できる下ヒンジ５を介して連結されており、
弾性アーム３と下フレーム２との間に、弾性アーム３と下フレーム２との接近限界を規定するストッパー２０が設けられており、
弾性アーム３と下フレーム２とが接近限界姿勢に屈折した状態において、下ヒンジ５のヒンジ中心が上ヒンジ４のヒンジ中心より後方に位置していることを特徴とする歯科用咬合器。
【請求項２】
上フレーム１と下フレーム２とが、捻れ弾性を発揮できる左右一対の弾性アーム３で連結してある請求項１記載の歯科用咬合器。
【請求項３】
ストッパー２０が、弾性アーム３側に設けられる雌ねじ体２１と、雌ねじ体２１にねじ込まれる雄ねじ体２２とを含み、
雄ねじ体２２のねじ込み量を調整して、弾性アーム３と下フレーム２との接近限界角θを変更調整できる請求項１または２記載の歯科用咬合器。
【請求項４】
弾性アーム３の一端が、上ヒンジ４と下ヒンジ５とのいずれか一方のヒンジ５（または４）に固定され、弾性アーム３の他端が、他方のヒンジ４（または５）に対して固定位置変更可能に調整ねじ１２で締結されて、上下両ヒンジ４・５の中心間距離を変更調整できる請求項１または２または３記載の歯科用咬合器。
【請求項５】
下フレーム２または弾性アーム３と上フレーム１との間に、上フレーム１を下方揺動不能に支持する支持構造２６が設けられている請求項１〜４のいずれかに記載の歯科用咬合器。
【請求項６】
上フレーム１と下フレーム２とが、板ばねで形成した左右一対の弾性アーム３で連結してある請求項２〜５のいずれかに記載の歯科用咬合器。
【請求項７】
左右一対の弾性アーム３が、上フレーム１および下フレーム２の左右側端より中央寄りに配置してある請求項２〜６のいずれかに記載の歯科用咬合器。
【請求項８】
上下に対向配置される上フレーム１および下フレーム２と、両フレーム１・２の後端どうしを連結する連結ブロック４０とを備えており、
連結ブロック４０は、平行状に配置されたアーム４２・４２と、これらアーム４２・４２を連結して、捻れ弾性を発揮できる板ばね４３とを含み、
連結ブロック４０と下フレーム２との間に、連結ブロック４０と下フレーム２との接近限界を規制する支持機構Ｓ１を設けてあり、
連結ブロック４０と上フレーム１との間に、上フレーム１を下方揺動不能に支持する支持機構Ｓ２を設けてあり、
上下のフレーム１・２と連結ブロック４０とが、各アーム４２に設けられたピロボールジョイント４８を介して連結されていることを特徴とする歯科用咬合器。
【請求項９】
支持機構Ｓ１・Ｓ２は、上下のフレーム１・２の後端から斜め方向に上がり傾斜するガイド５５と、ガイド５５に沿ってスライド移動自在に支持されるスライダ５６と、連結ブロック４０の各アーム４２から前方向に向かって突設された突起５７とを含み、
スライダ５６は、スライダ本体５８と、スライダ本体５８に突出状に設けられたピン５９と、スライダ本体５８にねじ込まれる調整ねじ６０と、スライダ本体５８の前面に装着されて、突起５７に接触できる受板６１とからなり、
ガイド５５には、ピン５９用の長孔６３を形成してあり、
長孔６３内にピン５９を挿入した状態で、調整ねじ６０をスライダ本体５６にねじ込むことで、スライダ５６は、ガイド５５に沿ってスライド移動自在に支持されており、
調整ねじ６０を緩操作してから、スライダ５６をガイド５５に沿って上下に移動させると、受板６１の高さ位置が変更されて、上下のフレーム１・２と連結ブロック４０との間の接近限界角θ１・θ２を変更調整できる請求項８記載の歯科用咬合器。
【請求項１０】
受板６１は、その長さ方向が水平に伸びる横姿勢と、上下方向に伸びる縦姿勢との間で回転可能に支持されており、
受板６１の短辺寸法Ｌ１を、アーム４２・４２どうしの対向間隔寸法Ｌ２よりも幅狭に設定して、受板６１を横姿勢から縦姿勢に回動操作すると、受板６１がピロボールジョイント４８まわりのアーム４２の回動軌跡から退避できるようにしてある請求項８または９記載の歯科用咬合器。
【発明の詳細な説明】
【０００１】
【発明の属する技術分野】
本発明は、下あごと上あごとの相対的な動作を再現するための歯科用咬合器に関する。
【０００２】
【従来の技術】
この種の咬合器として、特許文献１および特許文献２に記載の平均値咬合器がある。これら咬合器は、上下に対向配置される下フレームと上フレームとを有する。上フレームは、下フレームに立設した一対のアームで浮動支持され、さらにばねで定位置に復帰付勢されて、水平軸まわりに上下揺動でき、しかも咬合平面にそって左右偏心できる。片持ち支持された上フレームの姿勢を調整するために、上フレームの前端に調整軸（インサイザルピン）を配置し、その軸下端を下フレームに設けたテーブルで支えている。他にも上フレームの初期姿勢を調整するための位置調整機構が、上フレームとアームとの間に設けてある。
【０００３】
【特許文献１】
特開平６−１７８７８５号公報（段落〔００１８〕−〔００５５〕、図１）
【特許文献２】
特開平１１−２８２１７号公報（段落〔００３１〕−〔０１１８〕、図１）
【０００４】
【発明が解決しようとする課題】
上記の咬合器によれば、下あごと上あごとの相対的な動作のうち、下あごの上下開閉運動と、歯列の咬合平面に沿う左右偏心運動とを近似的に再現でき、上フレームを斜め上方へ交代スライドさせて、回転滑走運動を擬似的に再現できる。しかし、あご関節の角度として平均値を使用するので、患者によっては適正な咬合運動を再現できないうえ、下あごを後退させるときの後退運動などを再現できないうらみがある。
【０００５】
また、回転滑走運動時には、上フレームが斜め後方へ直線的に移動するだけであるから、回転滑走運動を正確に再現できない。上下のフレームを両手で支えて回転滑走運動を再現するとき、上フレームを支持するヒンジ部分が外れやすいうえ、咬合器が重たく操作し難い。左右偏心運動時に、上フレームが１点まわりに傾動旋回し、旋回先端側の垂直方向の高さが変化するため、咬合運動を正確に再現できない。
【０００６】
さらに、上フレームの浮動支持構造や位置調整機構が不可欠で全体構造が複雑となるため、咬合器の価格が高く付く。ユーザーとなる歯科医院や歯科技工所では、患者数に見合う１０〜２０個もの咬合器を常に用意しておく必要があるため、咬合器を導入する際のコスト負担が膨大になるのを避けられない。先に説明した全ての運動を再現できる全調節性咬合器は既にあるが、これは先の平均値咬合器よりもさらに高価であり、コスト面で実用性に欠ける。
【０００７】
上記のように平均値咬合器は高価であるうえ、上フレームの初期姿勢の調整に手間が掛かるため、実際の歯科医療現場では簡易形の咬合器を用いることが多い。簡易形の咬合器は、上フレームおよび下フレームのそれぞれが金属線材をＵ字状に折り曲げて形成されている。上フレームは下フレーム側に設けたアームで上下揺動自在に支持されて、下あごの上下揺動運動を再現でき、さらに下フレームとアームとを密巻きしたコイルばねで連結することにより、咬合平面に沿う左右偏心運動に似た動作を概略再現できる。しかし、左右偏心運動を行う場合にコイルばねが全周方向へ撓み変形し、上下フレームの間隔が変化するので、下あごの左右偏心運動や、前方運動を正確に再現できない。もちろん回転滑走運動や、後退運動は再現できない。
【０００８】
本発明者は、歯科医としてユーザーの立場から咬合器のあるべき姿を検討し直し、さらに下あごの動作をより忠実に再現するための咬合メカニズムに関する研鑚を重ねた結果、従来の咬合器に重大な問題のあることに気付いた。
【０００９】
すなわち、従来の平均値咬合器は、下フレームと一対のアームとを固定しておき、上フレームを上下あるいは左右運動させて、上下の両フレームに固定した模型の咬合状況を確認する構造になっている。このように、下フレームを固定して上フレーム側を動かす咬合構造は、人体の咬合動作を相対的な動作として再現しているものの、上あごが固定され下あごのみが動く人体の動きとは根本的に異なっており、そのことが円滑な回転滑走運動や、後退運動を再現できない要因であるとの確信を得、現在使用されている自由運動咬合器の臨床的な正確さを受け継ぎながら、患者ごとに異なるあご関節の前後および左右回転、さらに回転滑走運動などを咬合平面上で正確に再現できる咬合器を試作検討し、本発明を提案するに至った。
【００１０】
本発明の目的は、上下開閉運動、左右偏心運動、回転滑走運動、および後方運動などの咬合動作を近似的に再現できるうえ、咬合器の全体構造を著しく簡素化して、その製造に要するコストを大幅に削減できる歯科用咬合器を提供することにある。
【００１１】
本発明の目的は、上フレームと下フレームとが、弾性アーム、上ヒンジおよび下ヒンジを介して連結されている２関節型の歯科用咬合器を提供することにある。
【００１２】
本発明の目的は、咬合器の初期姿勢、なかでも弾性アームと下フレームとの接近限界角を個々の患者に合わせて変更調整でき、従って平均値咬合器に比べて咬合運動をより正確に再現できる歯科用咬合器を提供することにある。
【００１３】
本発明の目的は、咬合器の全体構造が簡単で、平均値咬合器に比べて著しく軽量化でき、従って咬合運動の確認が簡易型の咬合器と同様に手軽に行える歯科用咬合器を提供することにある。
【００１４】
【課題を解決するための手段】
本発明の咬合器は、図１に示すように、上下に対向配置される上フレーム１および下フレーム２と、両フレーム１・２の後端どうしを連結する弾性アーム３とを備えている。上フレーム１と弾性アーム３とは、上ヒンジ４を介して相対揺動可能に連結する。下フレーム２と弾性アーム３とは、設定値を越える外力が作用する状態でのみ相対揺動できる下ヒンジ５を介して連結する。弾性アーム３と下フレーム２との間には、弾性アーム３と下フレーム２との接近限界を規定するストッパー２０を設ける。弾性アーム３と下フレーム２とが接近限界姿勢に屈折した状態において、下ヒンジ５のヒンジ中心が上ヒンジ４のヒンジ中心より後方に位置しているようにしたものである。
【００１５】
具体的には、上フレーム１と下フレーム２とは、捻れ弾性を発揮できる左右一対の弾性アーム３で連結する。
【００１６】
ストッパー２０は、弾性アーム３側に設けられる雌ねじ体２１と、雌ねじ体２１にねじ込まれる雄ねじ体２２とを含み、雄ねじ体２２のねじ込み量を調整して、弾性アーム３と下フレーム２との接近限界角θを変更調整できる。
【００１７】
弾性アーム３の一端は、上ヒンジ４と下ヒンジ５とのいずれか一方のヒンジ５（または４）に固定し、弾性アーム３の他端は、他方のヒンジ４（または５）に対して固定位置変更可能に調整ねじ１２で締結する。以て、上下両ヒンジ４・５の中心間距離を変更調整できるようにすることができる。
【００１８】
下フレーム２または弾性アーム３と上フレーム１との間には、上フレーム１を下方揺動不能に支持する支持構造２６を設けることができる。
【００１９】
上フレーム１と下フレーム２とは、板ばねで形成した左右一対の弾性アーム３で連結することができる。
【００２０】
左右一対の弾性アーム３は、上フレーム１および下フレーム２の左右側端より中央寄りに配置することができる。
【００２１】
また、本発明の咬合器は、図１３および図１４に示すごとく、上下に対向配置される上フレーム１および下フレーム２と、両フレーム１・２の後端どうしを連結する連結ブロック４０とを備えている。連結ブロック４０は、平行状に配置されたアーム４２・４２と、これらアーム４２・４２を連結して、捻れ弾性を発揮できる板ばね４３とを含む。連結ブロック４０と下フレーム２との間に、連結ブロック４０と下フレーム２との接近限界を規制する支持機構Ｓ１を設けてある。連結ブロック４０と上フレーム１との間に、上フレーム１を下方揺動不能に支持する支持機構Ｓ２を設けてある。そして、上下のフレーム１・２と連結ブロック４０とが、各アーム４２に設けられたピロボールジョイント４８を介して連結されていることを特徴とする。
【００２２】
具体的には、支持機構Ｓ１・Ｓ２は、上下のフレーム１・２の後端から斜め方向に上がり傾斜するガイド５５と、ガイド５５に沿ってスライド移動自在に支持されるスライダ５６と、連結ブロック４０の各アーム４２から前方向に向かって突設された突起５７とを含む。スライダ５６は、スライダ本体５８と、スライダ本体５８に突出状に設けられたピン５９と、スライダ本体５８にねじ込まれる調整ねじ６０と、スライダ本体５８の前面に装着されて、突起５７に接触できる受板６１とからなる。ガイド５５には、ピン５９用の長孔６３を形成してある。長孔６３内にピン５９を挿入した状態で、調整ねじ６０をスライダ本体５６にねじ込むことで、スライダ５６は、ガイド５５に沿ってスライド移動自在に支持される。そして、調整ねじ６０を緩操作してから、スライダ５６をガイド５５に沿って上下に移動させると、受板６１の高さ位置が変更されて、上下のフレーム１・２と連結ブロック４０との間の接近限界角θ１・θ２を変更調整できるようにしてある。
【００２３】
図１５に示すごとく、各受板６１は、その長さ方向が水平に伸びる横姿勢と、上下方向に伸びる縦姿勢との間で回転可能に支持されている。そして、受板６１の短辺寸法Ｌ１を、アーム４２・４２どうしの対向間隔寸法Ｌ２よりも幅狭に設定して、受板６１を横姿勢から縦姿勢に回動操作すると、受板６１がジョイント４８まわりのアーム４２の回動軌跡から退避できるようにしてある。
【００２４】
【発明の作用効果】
本発明においては、上下のフレーム１・２と弾性アーム３とが、それぞれ上ヒンジ４と下ヒンジ５との２個のヒンジを介して相対揺動可能に連結され、咬合器が上下２個の関節部分を備えている構造とした。さらに下ヒンジ５は、設定値を越える外力が作用する状態でのみ相対揺動できる構造として、下フレーム２と弾性アーム３とが上ヒンジ４を中心にして上下に開閉揺動でき、弾性アーム３が捻り変形することで、左右方向の偏心運動を再現できるようにした。また、下フレーム２が下ヒンジ５を中心にして上下揺動する運動と、下フレーム２と弾性アーム３とが上ヒンジ４を中心にして前後に揺動する運動とを同時に行わせることにより、回転滑走運動を再現でき、下あごの咬合運動を近似的に再現できるようにした。
【００２５】
弾性アーム３と下フレーム２との間に設けたストッパー２０は、弾性アーム３の傾きを規定し、下フレーム２と弾性アーム３との接近限界角θを一定にするために設けてあり、あご関節の角度が平均値である場合に、問題なく咬合器を使用できる。下フレーム２と弾性アーム３とが接近限界位置にあるとき、下ヒンジ５の中心を上ヒンジ４の中心より後方に位置させるのは、下フレーム２および弾性アーム３が上ヒンジ４を中心にして前方へ揺動するようにして、下あごが前方へスライドする時の動作を忠実に再現するためである。
【００２６】
以上のように本発明の咬合器によれば、上下開閉運動、左右偏心運動、回転滑走運動、などの咬合動作を近似的に再現できる。また、上下のフレーム１・２と、弾性アーム３、上下のヒンジ４・５等で咬合器を構成するので、従来の平均値咬合器に比べて、全体構造を著しく簡素化でき、その分だけ製造に要するコストを大幅に削減できるうえ、平均値咬合器に比べて著しく軽量化でき、従って咬合運動の確認を簡易型の咬合器と同様に手軽に行うことができる。
【００２７】
捻れ弾性を発揮できる左右一対の弾性アーム３で上フレーム１と下フレーム２とが連結されていると、各弾性アーム３・３が個別に捻れ変形することによって、左右のあご関節の左右偏心動作を再現できるので、咬合器による咬合動作をさらに正確に再現できる。
【００２８】
ストッパー２０が雌ねじ体２１と雄ねじ体２２とを含み、雄ねじ体２２のねじ込み量を調整することにより、弾性アーム３と下フレーム２との接近限界角θを変更調整できるようにした咬合器によれば、接近限界角θを個々の患者のあご関節に合わせて変更調整できるので、従来の平均値咬合器に比べて咬合運動をより正確に再現できる。また、雄ねじ体２２を緩めて、雄ねじ体２２による下フレーム２の接近規制作用を解除することにより、下フレーム２の後方向への運動を許して、下あごの後方運動を再現することができる。
【００２９】
弾性アーム３の一端、例えば弾性アーム３の下端を下ヒンジ２に固定し、弾性アーム３の上端を上ヒンジ４に対して固定位置変更可能に調整ねじ１２で締結すると、調整ねじ１２を緩めたうえで弾性アーム３の締結位置を上下いずれかにずらして再び固定することにより、上下のヒンジ４・５の中心間距離を変更調整して、弾性アーム３と下ヒンジ２との接近限界角θが変るとき、上下フレーム１・２の対向間隔が変化するのを補正できる。
【００３０】
下フレーム２または弾性アーム３と上フレーム１との間に、上フレーム１を下方揺動不能に支持する支持構造２６を設けた咬合器によれば、支持構造２６で上フレーム１を受け止めて、上フレーム１が石膏模型Ｍ１の重みで下向きに揺動するのを防止できるので、例えば総入歯を作成する場合に、上下のフレーム１・２に固定した石膏模型Ｍ１・Ｍ２は、歯牙列の隙間分だけ間隔を開けて対向支持することができる。
【００３１】
上フレーム１と下フレーム２とが、板ばねで形成した左右一対の弾性アーム３で連結されていると、捻れ運動をする際に弾性アーム３が上下方向へ不必要に撓み変形するのを防止して、両フレーム１・２の上下間隔を正確に保持し続けることができる。従って、簡易形の咬合器において避けられなかったコイルばねの全周方向への撓み変形を解消して、下あごの左右偏心運動や、前方運動を正確に再現できる。
【００３２】
左右一対の弾性アーム３が、上フレーム１および下フレーム２の左右側端より中央寄りに配置されていると、あごの左右偏心運動を再現するために、例えば図６に示すように上フレーム１を固定し、下フレーム２を時計回転方向へ捻りながら、下フレーム２を上ヒンジ４まわりに前方回転操作し、回転運動と滑走運動とを再現するとき、片方の弾性アーム３は殆ど変形せず、他方の弾性アーム３が捻り変形して両フレーム１・２の変位動作を吸収する。この状態において、各弾性アーム３・３の捻り変形に伴って、下フレーム２の締結座２ｂが、上フレーム１の締結座２ｂの両側端から側外方へ突出するのを避けて、左右偏心運動をより忠実に再現する。そのために、左右の弾性アーム３は、上フレーム１および下フレーム２の左右側端より中央寄りに配置している。
【００３３】
また、本発明の咬合器においては、図１３および図１４に示すごとく、上下のフレーム１・２を連結する連結ブロック４０を、二本のアーム４２．４２と板ばね４３とを含むものとし、さらにフレーム１・２とアーム４２・４２とを、四個のピロボールジョイント４８を介して連結する構造とした。これにより、図１８に示すごとく、上ジョイント４８ａを中心にして、下フレーム２と連結ブロック４０とを上下に開閉揺動できる。また、図１９に示すごとく、下ジョイント４８ｂを中心にして、下フレーム２を上下に開閉揺動することもできる。
【００３４】
図２０に示すごとく、板ばね４３が捻り変形すること、および上下のピロボールジョイント４８ａ・４８ｂのシャフト（ボルト５２のねじ軸）が、アーム４２に対して相対揺動回動することで、左右のあご関節の左右偏心運動を再現することもできる。さらに図２１および図２２に示すごとく、下フレーム２が下ジョイント４８ｂを中心にして上下揺動する運動と、下フレーム２と連結ブロック４０とが上ジョイント４８ａを中心にして前後に揺動する運動とを同時に行わせることにより、回転滑走運動を再現でき、下あごの咬合運動を近似的に再現することもできる。
【００３５】
連結ブロック４０と上フレーム１との間に、上フレーム１を下方揺動不能に支持する支持機構Ｓ２を設けてあると、支持機構Ｓ２で上フレーム１を受け止めて、上フレーム１が石膏模型Ｍ１の重みで下方向に揺動するのを防止できるので、例えば総入歯を作成する場合に、上下のフレーム１・２に固定した石膏模型Ｍ１・Ｍ２は、歯牙列の隙間ぶんだけ間隔を開けて対向支持することができる。
【００３６】
支持機構Ｓ１・Ｓ２で接近限界角θ１・θ２を変更調整できるようにした咬合器によれば、接近限界角θ１・θ２を個々の患者のあご関節に合わせて変更調整できるので、従来の平均値咬合器に比べて咬合運動をより正確に再現できる。また、調整ねじ６０を緩めたうえでスライダ５６の締結位置を上下のいずれかにずらして再び固定することにより、受板６１の高さ位置を変更させて、下フレーム２と連結ブロック４０との接近限界角θ１が変るとき、上下フレーム１・２の対向間隔が変化するのを補正できる。
【００３７】
受板６１を縦姿勢としたとき、ピロボールジョイント４８まわりの上下フレーム１・２の回動軌跡から受板６１が退避するようにしてあると、支持機構Ｓ１・Ｓ２の接近規制作用を解除して、連結ブロック４０および下フレーム２の後方向への運動を許して、下あごの後方運動を再現することができる。
【００３８】
【発明の実施の形態】
（第１実施例）　図１ないし図７は本発明に係る咬合器の第１実施例を示す。図１において咬合器は上下に対向配置される上フレーム１および下フレーム２と、両フレーム１・２の後端どうしを連結する左右一対の弾性アーム３・３とを要素部材にして構成されている。
【００３９】
上フレーム１はアルミニウムなどの金属板材、あるいはプラスチック板材を素材とする舌片状の板体からなり、左右中央部に前後方向の枠部１ａが残る状態で板面の殆どがくりぬいてある。上フレーム１の後端には後述する上ヒンジ４を装着するための締結座１ｂが設けてある。下フレーム２は、上フレーム１と同様の素材で、板面の殆どがくりぬかれた舌片状に形成するが、その前後長さは上フレーム１より長く設定してある点が異なる。下フレーム２にも、枠部２ａと締結座２ｂとが設けてある。
【００４０】
両弾性アーム３は、ねじれ弾性を発揮できる帯状に形成された金属製の板ばねからなり、上下の両フレーム１・２に対して、上ヒンジ４と下ヒンジ５、および上下の各ヒンジ４・５に固定したアームブラケット６・７を介して連結してある。詳しくは、図２に示すように上フレーム１の締結座１ｂの下面に、上ヒンジ４の片方のヒンジプレートをビス８で固定し、他方のヒンジプレートを上方のアームブラケット６にビス９で固定する。さらに、アームブラケット６と押え板１１とで弾性アーム３の上端を挟持し、これら三者３・６・１１を調整ボルト（調整ねじ）１２で締結固定して、弾性アーム３と上フレーム１とを相対揺動自在に連結している。
【００４１】
同様に、下フレーム２の締結座２ｂの上面には、下ヒンジ５の片方のヒンジプレートをビス１４で固定し、他方のヒンジプレートを下方のアームブラケット７にビス１５で固定する。さらに、アームブラケット７と押え板１６とで弾性アーム３の下端を挟持し、これら三者３・７・１６をアームブラケット７にねじ込まれるボルト１７で締結固定して、弾性アーム３と下フレーム２とを連結する。下ヒンジ５は市販の定トルクヒンジで構成してあり、設定値を超える外力が作用する状態でのみ、下フレーム２と弾性アーム３とを相対揺動でき、例えばタキゲン製造社製のフラットトルクヒンジ（製品番号Ｂ−１１０９）を適用することができる。
【００４２】
弾性アーム３と下フレーム２との間には、両者２・３の接近限界を規定するストッパー２０が設けてある。患者のあご関節の角度の違いに応じて、下フレーム２と弾性アーム３との接近限界角θを変更調整するために、ストッパー２０は調整可能に構成する。
【００４３】
具体的には、図２に示すように、下側のアームブラケット７に形成したねじ穴（雌ねじ体）２１と、このねじ穴２１にねじ込まれるボルト２２（雄ねじ体）と、ロックナット２３とでストッパー２０を構成している。ロックナット２１を緩めてボルト２２を締緩操作することにより、下フレーム２がボルト２２の下端に接当する位置が変るので、接近限界角θを大小に変更できる。
【００４４】
上記のように接近限界角θが変ると、上下のフレーム１・２の対向間隔が変化する。この間隔値の変化を補正するために、先の弾性アーム３の上端に通設した調整ボルト１２用の挿通穴２４を上下方向の長穴で形成して、弾性アーム３のアームブラケット６に対する固定位置を変更して調整ボルト１２で締結固定できるようにしてある。
【００４５】
例えば、総入歯を作成する場合には、図４に示すような石膏模型Ｍ１・Ｍ２を歯牙列の隙間分だけ間隔を開けて対向支持する必要がある。つまり、上フレーム１が下フレーム２と平行になる状態で、その下方揺動を規制する必要がある。このような場合に備えて、上フレーム１と弾性アーム３との間には、上フレーム１を下方揺動不能に支持する支持構造２６が設けられている。図３において支持構造２６は、上フレーム１の締結座１ｂの下面に固定支持したねじボス２７と、ねじボス２７にねじ込まれた調整ボルト２８と、上側のアームブラケット６に突設したねじ受部２９とで構成されている。
【００４６】
上記構成の咬合器は、例えば図４に示すように石膏模型Ｍ１・Ｍ２を上下のフレーム１・２に固定し、上下フレーム１・２を相対操作することにより、各種のあごの動きを再現できる。あごの上下開閉運動を再現する場合には、図４に示すように、下フレーム２を上ヒンジ４のヒンジ中心まわりに回転操作することにより、歯牙列の噛み合いを確認できる。
【００４７】
あごの左右偏心運動を再現するときは、上フレーム１と下フレーム２とを相対的に左右方向へ捻り操作することにより、あごの左右偏心運動を再現し石膏模型Ｍ１・Ｍ２の咬合状況を確認できる。詳しくは、図６に示すように上フレーム１を固定し、下フレーム２を時計回転方向へ捻りながら下フレーム２を上ヒンジ４のまわりに前方回転操作して、回転運動と滑走運動とを再現する。
【００４８】
このとき、図６に向かって左側の弾性アーム３は殆ど変形せず、図６に向かって右側の弾性アーム３が捻り変形して、両フレーム１・２の変位動作を吸収する。弾性アーム３・３の捻り変形に伴って、下フレーム２の締結座２ｂが、上フレーム１の締結座２ｂの両側端から側外方へ突出するのを避けて、左右偏心運動をより忠実に再現するために、左右の弾性アーム３・３のそれぞれが、図１に示すように上フレーム１および下フレーム２の左右側端より中央寄りに配置されている。下フレーム２が時計回転方向へ偏心運動するときは、右あごのイミィディエィトサイドシフトを確認し、同時に、左あごの前下方への回転滑走動作を確認できる。
【００４９】
咬合器は図５に示すように下あごの後方運動を再現できる。この場合には、上フレーム１を固定し、下フレーム２を通常の噛み合い位置Ｎから後方へ移動操作する。詳しくは、ボルト２２を緩め、ボルト２２による下フレーム２の拘束を解除した状態で下フレーム２を後方へ移動操作する。
【００５０】
下フレーム２を後方へ移動操作することにより、下フレーム２と弾性アーム３とは、上ヒンジ４を中心にして上方揺動しようとする。しかし、弾性アーム３が上方揺動すると、その垂直移動成分の分だけ下方の歯牙列どうしが上昇して、上方の歯牙列に接当する。このとき、第一小臼歯におけるリトルーシブガイド量を確認し、後方の歯牙から前方の歯牙へ向かって順に解離状態を確認し、歯牙の咬頭傾斜の展開角を決定することができる。治療個所が前方にある場合には、設定した位置から前方へ必要な距離だけ下フレーム２をスライド操作し、歯牙のワックスアップを行える。あるいはバイドプレートを作成できる。
【００５１】
以上のように、通常は上ヒンジ４のみが相対揺動するが、後退運動を行う場合には、下ヒンジ５も揺動して下あごの動きを再現するのに寄与する。本発明の咬合器が２個の関節部分を備えていることにより可能となった、特徴的な動作である。
【００５２】
下あごの回転滑走運動は、図７に矢印Ｓで示すように前向きの回転運動と、回転中心が斜め下向きに移動する複合的な運動になっている。この運動は、上フレーム１を固定し、下フレーム２を通常の噛み合い位置Ｎから前方へ矢印Ｐで示すように回転操作しながら、下フレーム２を下ヒンジ５の抵抗力に抗して矢印Ｑで示すように下方揺動操作することで再現できる。
【００５３】
因みに、弾性アーム３と下フレーム２とが接近限界姿勢に屈折する通常の噛み合い位置Ｎの状態においては、下ヒンジ５のヒンジ中心が上ヒンジ４のヒンジ中心より後方に位置し、石膏模型Ｍ２は上ヒンジ４のヒンジ中心より前方に位置している。従って、上記のように下フレーム２を前方へ回転操作すると、下フレーム２に固定した石膏模型Ｍ２は、時計回転方向へ移動して上フレーム１側の石膏模型Ｍ１に接近する。
【００５４】
この接近動作を吸収しながら、左右の第一中切歯によるガイド作用で下フレーム２が矢印Ｑで示すように下ヒンジ５を中心にして開くことによって、複合的な下あごの回転滑走運動を近似的に再現できるようになっている。つまり、矢印Ｐで示す回転運動と、矢印Ｑで示す運動とを組み合わせることによって、矢印Ｓで示す複合動作を再現できる。この動作も、本発明の咬合器が２個の関節部分を備えていることにより可能となった、特徴的な動作である。
【００５５】
（第２実施例）　図８および図９は本発明に係る咬合器の第２実施例を示す。そこでは、ストッパー２０をアームブラケット７の左右中央の１箇所に限って設けた。この場合には上下のフレーム１・２を左右偏心操作する際に、下フレーム２がボルト２２の下端を中心にして傾動しやすいが、下フレーム２を台上において旋回操作すると、ストッパー２０を２個設けた第１実施例と同様のより正確な左右偏心運動を再現できる。この第２実施例では、下ヒンジ５の構造も変更した。図９に示すように、左右で対を為すそれぞれのヒンジプレートは一個のヒンジ軸３１で連結し、ヒンジ軸３１の両端に設けたねじ軸３２・３２にナット３３・３３をねじ込んで、下ヒンジ５とした。
【００５６】
上記のヒンジ構造によれば、設定値を超える外力が作用する状態でのみ、下フレーム２と弾性アーム３とを相対揺動でき、ナット３３の締め付け具合を調整することにより、下フレーム２が揺動開閉し始めるときの抵抗力を大小に調整できる。左右偏心運動を行うために下フレーム２を左右に動かすときは、左右のナット３３の片方を緩める。具体的には、下フレーム２を右に動かすときは、左のナット３３を緩め、下フレーム２を左に動かすときは、右のナット３３を緩める。他は先の第１実施例と同じであるので、同じ部材に同じ符号を付して、その説明を省略する。以下の実施例においても同じ扱いとする。
【００５７】
（第３実施例）　図１０は本発明に係る咬合器の第３実施例を示しており、ボルト２２の下端を下フレーム２に対して軸３４を介して揺動可能に連結し、ボルト２２にねじ込んだ一対のナット３５でアームブラケット７を挟持固定して、弾性アーム３の傾斜角度を変更できるようにした。
【００５８】
（第４実施例）　図１１は支持機構２６に関する本発明の第４実施例を示す。そこでは、下フレーム２に弾性アーム３に沿うブラケット３８を固定し、ブラケット３８の上端に設けたねじ受部２９に調節ボルト２８を押し当てて、上フレーム１を支持できるようにした。調節ボルト２８は上フレーム１に設けたねじボス２７にねじ込み、ロックナット３９で固定できる。
【００５９】
図１２（ａ）〜（ｃ）は弾性アーム３のそれぞれ異なる具体変形例を示す。図１２（ａ）の弾性アーム３は、短冊状の板ばねの中央に、例えば鋼線などの金属製の補強材３ａを固定して構成してある。このように補強材３ａを付加すると、より小さな力で捻り変形できるにもかかわらず、座屈しにくい弾性アーム３が得られる。先の補強材３ａは線材や、板材などを使用できる。
【００６０】
図１２（ｂ）の弾性アーム３は、短冊状の板ばねを断面Ｌ字状に折り曲げ、片方の板面の上下方向に平行な切込３ｂを入れて形成し、先の弾性アーム３と同様に、より小さな力で捻り変形できるにもかかわらず、座屈し難くしたものである。必要があれば、切込３ｂが形成されるプラスチック成形品に、短冊状の板ばねの一側縁をインサート固定して、弾性アーム３とすることができる。
【００６１】
図１２（ｃ）に示す弾性アーム３は、短冊状の板ばねの左右中央に補強部３ｃを一体に折り曲げ形成して、捻り変形を容易化しながら、座屈変形し難いものにした。
【００６２】
上記の実施例以外に、弾性アーム３は適度の硬さを備えたゴム、プラスチック等の板あるいは棒で構成でき、必要があれば金属とゴム、あるいは金属とプラスチックを組み合わせた複合体で形成することができる。必要があれば、１個の弾性アーム３で上下のフレーム１・２を連結してもよい。
【００６３】
ストッパー２０は角度調整機能を備えていることが望ましいが、本発明の咬合器は、接近限界角θを固定した状態で使用することが可能であるので、角度調整機能を備えている必要はなく、単に下フレーム２と弾性アーム３との接近限界角θを規定できればよい。ストッパー２０を構成するボルト２２は、下フレーム２に設けたねじ穴２１にねじ込み、その軸端を下側のアームブラケット７に接当させて、接近限界角θを規定することができる。アームブラケット６・７を省略して、弾性アーム３を上下のヒンジ４・５に対して直接に連結してもよい。
【００６４】
（第５実施例）　図１３ないし図２２に本発明の第５実施例を示す。図１３および図１４において、咬合器は、上下に対向配置される上フレーム１および下フレーム２と、両フレーム１・２の後端どうしを連結する連結ブロック４０とからなる。上下フレーム１・２は、アルミニウムなどの金属板材、あるいはプラスチック板材を素材とする舌片状の板体であり、各フレーム１・２に石膏模型Ｍ１・Ｍ２が固定される。下フレーム２の前後長さは上フレーム１より長く設定してある。符号４１は、下フレーム２から下方に伸びる脚を示す。
【００６５】
図１４および図１５に示すごとく、連結ブロック４０は、平行状に配置された２本のアーム４２・４２と、これらアーム４２・４２の上下方向の中央部どうしを連結する板ばね４３と、各アーム４２の上下端部から上下方向に伸びて、フレーム１・２を連結保持する四本のロッド４４とで構成する。アーム４２は、上下方向に長い四角棒状の本体部４５と、本体部４５の外側面に突出状に形成されたロッド４４用の取付部４６とを有する金属成形品であり、本体部４５・４５どうしの対向壁面が所定間隔だけ離れた平行姿勢で、板ばね４３により連結される。板ばね４３は、ねじれ弾性を発揮できる幅広帯形の金属板であり、その左右両端部がアーム４２・４２にビス止め固定される。取付部４６には、上下方向に貫通孔を設けてあり、各ロッド４４は貫通孔に差し込み装着されるボルト４７によって、取付部４６に対して回動不能に締結固定される。
【００６６】
各ロッド４４は、その先端部に、フレーム１・２を揺動回動自在に支持するためのピロボールジョイント４８を備える。ピロボールジョイント４８は、球状面を有する筒体５０と、筒体５０を揺動回動自在に包持するソケット５１とを備え、筒体５０の内側端から筒孔内に内嵌装着されるボルト５２を介して、上下のフレーム１・２を支持する。符号５３は、フレーム１・２の後方両端部に固定されて、後方に突出する支持アームであり、各支持アーム５３の後端部に設けた雌ねじ形の軸孔内に、ボルト５２の雄ねじ部を螺合接合させて、ロッド４４とフレーム１・２とを連結する。
【００６７】
連結ブロック４０と下フレーム２との間には、連結ブロック４０が不用意に前倒れるのを防止するとともに、両者の接近限界角θ１を規定するための支持機構Ｓ１が設けてある。患者のあご関節の角度の違いに応じて、連結ブロック４０と下フレーム２との間の接近限界角θ１を大小に変更調整するために、支持機構Ｓ１は調整可能に構成する。図１３、図１４および図１６において、支持機構Ｓ１は、下フレーム２の後端中央部から斜め方向に上がり傾斜するガイド５５と、ガイド５５に沿ってスライド移動自在に支持されるスライダ５６と、連結ブロック４０の各アーム４２から前方向に向かって突設された二本の突起５７・５７とを主要構成要素とする。スライダ５６は、四角箱状の金属加工品であるスライダ本体５８と、スライダ本体５８の下面に突出状に設けられたピン５９と、スライダ本体５８の下面にねじ込まれる調整ねじ６０と、スライダ本体５８の前面に装着されて、突起５７に接触できる受板６１とからなる。スライダ本体５８の下面には、調整ねじ６０用のねじ穴６２を形成してある。
【００６８】
ガイド５５には、ピン５９用の長孔６３を形成してあり、ガイド５５の上方側から長孔内にピン５９を挿入した状態で、下方側から調整ねじ６０をねじ穴６２内にねじ込む。これにより、スライダ５６は、ガイド５５上でスライド移動自在に支持される。
【００６９】
図１５において、受板６１は、金属又はプラスチック樹脂を素材とする平板状の部品であり、その長さ方向の中央部が、スライダ本体５８の前面下部にねじ込まれるボルト６４により、長さ方向が水平に伸びる横姿勢と、上下方向に伸びる縦姿勢との間で回転可能に支持される。受板６１は、設定値を越える外力が作用するときのみ回転できる。受板６１の長さ寸法は、左右の突起の間隔寸法よりも大きく設定してある。受板の幅寸法Ｌ１は、アーム４２・４２どうしの対向間隔寸法Ｌ２よりも幅狭に設定してある。突起５７は、基端側にねじ軸を有する金属加工品であり、アーム４２の前面に螺合接合されている。
【００７０】
以上の構成からなる支持機構Ｓ１によれば、図１３および図１６に示すごとく、横姿勢の受板６１に突起５７の先端が接当することで、連結ブロック４０が前倒れるのを阻止できる。つまり、連結ブロック４０を前方揺動不能に支持できる。また、調整ねじ６０を緩操作したうえで、スライダ５６をガイド５５に沿って上下にスライド移動させてから、再び調整ねじ６０を固定すると、受板６１の高さ位置を変更できるので、下フレーム２と連結ブロック４０との間の接近限界角θ１を大小に調整できる。
【００７１】
符号Ｃは、スライダ５６の高さ位置を微調整するための調整機構を示す。この調整機構Ｃは、ガイド５５の上端に連続して、上方向に伸びるブラケット面６６と、ブラケット面６６に形成された貫通孔６７を通って、スライダ本体５８にねじ込み装着される調整ねじ６８と、スライダ本体５８とブラケット面６６との間に配置されたばね６９とからなる。ばね６９は、調整ねじ６８のねじ軸６８ａに差し込み装着された圧縮コイル形のばねであり、スライダ本体５８を前方向に押圧付勢する。以上より、スライダ５６の調整ねじ６０を緩めた状態で、調整ねじ６８を回転操作することにより、ねじ軸６８ａの軸方向に微少ずつスライダ５６を移動させて、接近限界角θ１を微調整できる。
【００７２】
例えば、総入歯を作成する場合には、図１３に示すような石膏模型Ｍ１・Ｍ２を歯牙列の隙間分だけ間隔を置いて、両者を対向支持する必要がある。つまり、上フレーム１が下フレーム２と平行となる状態で、その下方揺動を規制する必要がある。このような場合に備えて、上フレーム１と連結ブロック４０との間には、上フレーム１を下方揺動不能に支持する支持機構Ｓ２を設けてある。また、上記のように、下フレーム２と連結ブロック４０との間の接近限界角θ１が変ると、上下のフレーム１・２の対向間隔が変化する。このため、かかる対向間隔値の変化を補正するために、支持機構Ｓ２には、上フレーム１と連結ブロック４０との間の接近限界角θ２を大小に変更するための調整機能を与えてある。
【００７３】
支持機構Ｓ２の構成は、先の支持機構Ｓ１の構成と略同様であり、スライダ５６がガイド５５に対して吊り掛け支持されている点が、先の支持機構Ｓ１と大きく相違する。すなわち図１７に示すごとく、スライダ５６は、スライダ本体５８と、スライダ本体５８の上面に突出状に設けられたピン５９と、スライダ本体５８の上面にねじ込まれる調整ねじ６０と、スライダ本体５８の前面に回転自在に装着された受板６１とからなり、ガイド５５の下方側から長孔６３内にピン５９を挿入した状態で、上方側から調整ねじ６０をねじ込むことで、スライダ５６は、ガイド５０に対してスライド移動自在に吊り掛け支持される。他の構成は、先の支持機構Ｓ１と同様であるので、同一部材には同一符号を付して、その説明を省略する。
【００７４】
以上の構成からなる支持機構Ｓ２によれば、突起５７の先端に、横姿勢の受板６１が接当することで、上フレーム１が下方揺動するのを規制できる。また、調整ねじ６０を緩操作してから、スライダ５８をガイド５０に沿ってスライド移動させると、受板６１の高さ位置が変更されて、受板６１の突起５７に対する接当位置を変ることができるので、上フレーム１と連結ブロック４０との間の接近限界角θ２を大小に調整できる。
【００７５】
上記構成の咬合器は、例えば図１３に示すように石膏模型Ｍ１・Ｍ２を上下のフレーム１・２に固定し、上下フレーム１・２を相対操作することにより、各種のあごの動きを再現できる。例えば、あごの上下開閉運動を再現する場合には、図１８に示すごとく、下フレーム２と連結ブロック４０との間の内角度を接近限界角θ１に固定した状態で、連結ブロック４０を上側のピロボールジョイント４８ａ（以下、上ジョイントと記す）まわりに回転操作することにより、歯牙列の噛み合いを確認できる。また、図１９に示すごとく、上フレーム１と連結ブロック４０との間の内角度を接近限界角θ２に固定した状態で、下フレーム２を下側のピロボールジョイント４８ｂ（以下、下ジョイントと記す）まわりに回転操作することによっても、あごの上下開閉運動を再現して、石膏模型Ｍ１・Ｍ２の咬合状況を確認できる。
【００７６】
あごの左右偏心運動を再現するときは、上フレーム１と下フレーム２とを相対的に左右方向へ捻り操作することで、あごの左右偏心運動を再現し、石膏模型Ｍ１・Ｍ２の咬合状況を確認できる。詳しくは、図２０に示すごとく、上フレーム１を固定し、下フレーム２を時計回転方向、あるいは反時計方向へ捻りながら下フレーム２を下ジョイント４８ｂまわりに前方回転操作して、回転運動と滑走運動とを再現する。
【００７７】
このとき、上下のジョイント４８ａ・４８ｂの筒体５０がソケット５１内で相対揺動回動する。つまり、ジョイント４８ａ・４８ｂのシャフトであるボルト５２のねじ軸がアームに対して相対揺動回動する。また、アーム４２・４２を連結する板ばね４３が捻り変形する。以上のジョイント４８ａ・４８ｂと板ばね４３の作用により、アーム４２の変位動作を吸収できる。これにより、例えば図２０で実線で示すごとく、下フレーム２を正面視で右方向へ偏心運動させたときは、左あごのイミディエイトサイドシフトを確認し、同時に、右あごの前下方への回転滑走運動を確認できる。
【００７８】
咬合器は、図２１に示すように、下あごの後方運動を再現できる。この後方運動に際しては、上フレーム１を固定し、下フレーム２を通常の噛み合い位置Ｎから後方へ移動操作する。かかる下フレーム２の後方への移動操作により、下フレーム２と連結ブロック４０とは、上ジョイント４８ａを中心にして上方揺動しようとする。しかし、連結ブロック４０が上方揺動すると、その垂直移動成分のぶんだけ下方の歯牙列どうしが上昇して、上方の歯牙列に接当する。このとき第一小臼歯におけるリトルーシブガイド量を確認し、後方の歯牙から前方の歯牙へ向かって順に解離状態を確認し、歯牙の咬頭傾斜の展開角を決定することができる。治療個所が前方にある場合には、設定した位置から前方へ必要な距離だけ下フレーム２をスライド操作し、歯牙のワックスアップを行える。あるいはバイドプレートを作成できる。
【００７９】
以上のように、通常は上ジョイント４８ａのみが相対揺動するが、後退運動を行う場合には、下ジョイント４８ｂも揺動して下あごの動きを再現するのに寄与する。本発明の咬合器が上下の関節部分を備えていることにより可能となった、特徴的な動作である。
【００８０】
下あごの回転滑走運動は、図２２に矢印Ｓで示すように前向きの回転運動と、回転中心が斜め下向きに移動する複合的な運動になっている。この運動は、上フレーム１を固定し、下フレーム２を通常の噛み合い位置Ｎから前方へ矢印Ｐで示すように回転操作しながら、下フレーム２を下方揺動操作することで再現できる。
【００８１】
因みに、弾性アーム３と下フレーム２とが接近限界姿勢に屈折する通常の噛み合い位置Ｎの状態においては、下ジョイント４８ｂの回動中心が上ジョイント４８ａの回動中心より後方に位置し、石膏模型Ｍ２は上ジョイント４８ａの回動中心より前方に位置している。従って、上記のように下フレーム２を前方へ回転操作すると、下フレーム２に固定した石膏模型Ｍ２は、時計回転方向へ移動して上フレーム１側の石膏模型Ｍ１に接近する。
【００８２】
この接近動作を吸収しながら、左右の第一中切歯によるガイド作用で下フレーム２が矢印Ｑで示すように下ジョイント４８ｂを中心にして開くことによって、複合的な下あごの回転滑走運動を近似的に再現できるようになっている。つまり、下ジョイント４８ｂまわりの回転運動と、矢印Ｑで示す運動とを組み合わせることによって、矢印Ｓで示す複合動作を再現できる。この動作も、本発明の咬合器が上下の関節部分を備えていることにより可能となった、特徴的な動作である。
【００８３】
これら後退運動および回転滑走運動においては、接近限界角θ１、θ２を超えて、上下フレーム１・２や連結ブロック４０を変位操作できることが求められる。つまり、支持機構Ｓ１・Ｓ２による接近規制作用を解除して、例えば接近限界角θ１、θ２を下回るθ１′、θ２′の位置にまで、フレーム１・２や連結ブロック４０を変位操作できることが求められる。そこで、本実施例の咬合器においては、図１５に示すごとく、受板６１の短辺寸法Ｌ１を、アーム４２・４２どうしの対向間隔寸法Ｌ２よりも幅狭に設定して、受板６１を横姿勢から縦姿勢に回動操作すると、受板６１がジョイント４８まわりのアーム４２の回動軌跡から退避できるようにしてある。これにより、受板６１と突起５７とが互いに接当干渉することがなくなるので、支持機構Ｓ１・Ｓ２の接近規制作用を解除して、上下フレーム１・２や連結ブロック４０を、自由に変位操作できる。
【図面の簡単な説明】
【図１】咬合器を後方側から見た斜視図である。
【図２】図１におけるＡ−Ａ線断面図である。
【図３】図１におけるＢ−Ｂ線断面図である。
【図４】あごの上下開閉運動の再現状態を示す側面図である。
【図５】あごの後退運動の再現状態を示す側面図である。
【図６】あごの左右偏心運動の再現状態を示す側面図である。
【図７】あごの回転滑走運動の再現状態を示す側面図である。
【図８】第２実施例を示す図１に相当の斜視図である。
【図９】第２別実施例を示す下ヒンジの断面図である。
【図１０】第３実施例を示すストッパーの断面図である。
【図１１】支持機構に関する第４実施例を示す側面図である。
【図１２】弾性アームのそれぞれ異なる変形例を示す斜視図である。
【図１３】第５実施例に係る咬合器の側面図である。
【図１４】第５実施例に係る咬合器の分解斜視図である。
【図１５】咬合器の正面図である。
【図１６】支持機構Ｓ１に関する側面図である。
【図１７】支持機構Ｓ２に関する側面図である。
【図１８】あごの上下開閉運動の再現状態を示す側面図である。
【図１９】あごの上下開閉運動の再現状態を示す側面図である。
【図２０】あごの左右偏心運動の再現状態を示す側面図である。
【図２１】あごの後退運動の再現状態を示す側面図である。
【図２２】あごの回転滑走運動の再現状態を示す側面図である。
【符号の説明】
１　上フレーム
２　下フレーム
３　弾性アーム
４　上ヒンジ
５　下ヒンジ
２０　ストッパー
２２　ボルト
４０　連結ブロック
４２　アーム
４３　板ばね
４８　ピロボールジョイント
５５　ガイド
５６　スライダ
６０　調整ねじ
Ｓ１　支持機構
Ｓ２　支持機構
【図１】
2004000423.tif 000003
【図２】
2004000423.tif 000004
【図３】
2004000423.tif 000005
【図４】
2004000423.tif 000006
【図５】
2004000423.tif 000007
【図６】
2004000423.tif 000008
【図７】
2004000423.tif 000009
【図８】
2004000423.tif 000010
【図９】
2004000423.tif 000011
【図１０】
2004000423.tif 000012
【図１１】
2004000423.tif 000013
【図１２】
2004000423.tif 000014
【図１３】
2004000423.tif 000015
【図１４】
2004000423.tif 000016
【図１５】
2004000423.tif 000017
【図１６】
2004000423.tif 000018
【図１７】
2004000423.tif 000019
【図１８】
2004000423.tif 000020
【図１９】
2004000423.tif 000021
【図２０】
2004000423.tif 000022
【図２１】
2004000423.tif 000023
【図２２】
2004000423.tif 000024